(57)【要約】【目的】  屋内外を問わず、耐久性があり重厚な雰囲気のある追慕・慰霊の部材を提供する。【構成】  花こう岩等の石板１の表面に凹部を設けて故人又はペットの写真肖像等を有する陶板２を凹部に嵌め固定する。プレート３には氏名、没年等を表示する。プレート３は石板１の表面の凹部に嵌め込み固定する。石板１を貫通する穴に遺骨収納箱４を固定する。プレート３、遺骨収納箱４はチタン又はチタンパラジウム合金又はチタン合金である。このような材料を用いているので荘厳な雰囲気があり、屋内はもちろん、屋外に置いても耐久性がある。【選択図】      図１
2006346335.tif 000002
【特許請求の範囲】
【請求項１】
石材製の板材であって、表面に固定された耐候性の故人又はペットの写真又は肖像と、板材の表裏間を貫通する穴と、を有する板材と、この穴に挿入固定された純チタン又はチタンパラジウム合金もしくはチタン合金製の気密とされた遺骨収納箱と、を有し、屋内屋外を問わず配置され得ることを特徴とするシンプルグレイブ。
【請求項２】
板材は下辺を有し、板材下辺を着脱可能に嵌合する溝を上面にする台座を有することを特徴とする請求項１に記載のシンプルグレイブ。
【請求項３】
前記穴は円筒形であって、前記遺骨収納箱は穴に嵌合する有底中空円筒部と中空円筒部の一端である有底側端部に設けられた中空円筒部の外周よりも大径の外つばと中空円筒部の他端側外周に設けられたねじ部とを有する本体と、前記ねじ部にねじ込まれるキャップと、キャップ内に収納されキャップと前記中空円筒部の他端の間に挿入された気密パッキンと、を有し、中空円筒部の他端が板材の裏面に突出し、キャップを締め込むことによりパッキンが圧縮され、キャップが板材の裏面に接近してなる請求項１又は２に記載のシンプルグレイブ。
【発明の詳細な説明】
【技術分野】
【０００１】
本発明は埋葬に代る追慕・慰霊の部材であるシンプルグレイブに関する。
【背景技術】
【０００２】
後述の特許文献１は要約すると次の点が記載されている。（１）墓地・霊園の不足が慢性化している。また、墓地、墓石の購入、墓地の管理等後継者にとって大きな負担となっている。（２）近くの墓地に空きがなく、遠地の霊園業者の霊園を求めざるを得ない。そのため、交通機関を利用してのお墓参りも容易でなく滞りがちとなる。また、郷里の墓参も数年ぶりという例も多い。（３）ペット用の墓地、霊園の不足がある。ペットは庭に埋葬するのが通例であるが、住宅事情から埋葬できる庭を持った住宅は少なくなり、マンションなどが大幅に増えている。そこで、ペットの遺骨をペット霊園に共同埋葬または納骨堂に個別に安置するが前者は比較的安価であるとしても、後者は管理費など負担が大きい。（４）ペット霊園は近くにないケースが多い。
特許文献１に記載の発明は火葬にふされた故人の遺骨の一部を粉末化したものを防酸化剤と一緒に入れて密封するセラミック製の納骨箱と、その納骨箱を収納する収納部と故人の写真やレリーフを保持する保持部とを備えた本体と、その本体の収納部に収納された納骨箱の上部を覆って本体に接着され、故人の名前や命日などが刻印された金属製の銘板と、を有する納骨霊牌である。及び、火葬にふされたペットの遺骨の一部を粉末化したものを防酸化剤と一緒に入れて密封するセラミック製の納骨箱と、その納骨箱を収納する収納部とペットの写真やレリーフを保持する保持部とを備えた本体と、その本体の収納部に収納された納骨箱の上部を覆って本体に接着され、ペットの愛称や命日などが刻印された金属製の銘板と、を有する納骨霊牌である。
ここで、本体はオーク材、ローズウッドなどの木材で作られている（特許文献１段落［００１６］参照）。本体は開口部を有し、開口部の段差部にガラス板が載置嵌合され、ガラス板と裏板との間に写真を挟んでいる（特許文献１段落［００２０］参照）。セラミック製の納骨箱１は本体４の下部の収納部２に収納される（特許文献１段落［００１４］［００１７］参照）。
特許文献１に記載の納骨霊牌は壁などに掛けられたり、仏壇の中や前に安置したり書棚の上に載せたりする（特許文献１段落［００２７］参照）。
【特許文献１】特開２００２−２８０６９号公報
【発明の開示】
【発明が解決しようとする課題】
【０００３】
特許文献１に記載の発明によれば本体が木製であってほぼ額縁と同構成である。そのため、（１）屋外で用いることが不可能でないにしても屋外に置くと耐久性がない。（２）額と同様ガラス板と裏板との間に写真を挟んでいるので、ガラス板が割れ易い。（３）額と変わらず重厚さがないので、追慕・慰霊の荘厳な雰囲気が出しにくい。（４）本体が滅失するとき納骨箱も破損するおそれが大きい。
本発明は上記背景技術の課題を解決して、屋内外を問わず用いることができ、半永久的で耐候性があるシンプルグレイブを提供することを目的とする。
本発明の他の目的は構成が単純で重厚さのある追慕・慰霊のためのシンプルグレイブを提供することを目的とする。
【課題を解決するための手段】
【０００４】
本出願に係る第１の発明は石材製の板材であって、表面に固定された耐候性の故人又はペットの写真又は肖像と、板材の表裏間を貫通する穴と、を有する板材と、この穴に挿入固定された純チタン又はチタンパラジウム合金もしくはチタン合金製の気密とされた遺骨収納箱と、を有し、屋内屋外を問わず配置され得ることを特徴とするシンプルグレイブである。
【０００５】
本出願に係る第２の発明は板材は下辺を有し、板材下辺を着脱可能に嵌合する溝を上面にする台座を有することを特徴とする第１の発明に記載のシンプルグレイブである。
【０００６】
本出願に係る第３の発明は前記穴は円筒形であって、前記遺骨収納箱は穴に嵌合する有底中空円筒部と中空円筒部の一端である有底側端部に設けられた中空円筒部の外周よりも大径の外つばと中空円筒部の他端側外周に設けられたねじ部とを有する本体と、前記ねじ部にねじ込まれるキャップと、キャップ内に収納されキャップと前記中空円筒部の他端の間に挿入された気密パッキンと、を有し、中空円筒部の他端が板材の裏面に突出し、キャップを締め込むことによりパッキンが圧縮され、キャップが板材の裏面に接近してなる第１又は第２の発明に記載のシンプルグレイブである。
【発明の効果】
【０００７】
本発明によれば構成する部材が石材、及びチタン又はチタンパラジウム合金もしくはチタン合金を用いているので耐候性があり、屋内、屋外何れにおいても設置可能である。そして、これらの材質のため美麗な外観とすることが容易である。また、追慕・慰霊の部材として格別に重厚さ、荘厳な雰囲気をかもし出すことができる。
可搬性があるので何人も取り扱い可能である。上述のように耐候性、可搬性があるので、室内における以外にマンションのベランダ、一般家庭の庭であれば、狭くても置くことができる。
また寺院等においても墓地を持たない又は墓地に余地がないような場合においても寺域のわずかの場所に多数設置でき、個々の墓の代わりとすることもできる。もちろん寺院の建物内に配置することもできる。
上述のように殆ど設置場所の制約がないため、墓地不足の解消、経済的な点からの墓地入手の困難性の改善がなされ、また、墓参等の時間的な負担を軽減できるものである。
【発明を実施するための最良の形態】
【０００８】
図１は正面図、図２は図１の側面図、図３は図１のＡ−Ａ断面図、図４は図１のＢ−Ｂ断面図である。
例えば御影石（花こう岩）製の板材である石板１には表面１ａに第一の凹部１ｂと、第二の凹部１ｃと、表面１ａから裏面１ｉに貫通する穴１ｅを有する。第一の凹部１ｂには陶板２が嵌め込まれて固定されている。
第二の凹部１ｃにはプレート３が嵌め込まれている。穴１ｅにはチタン又はチタンパラジウム合金もしくはチタン合金製の納骨筒４が嵌合し、石板１に固定されている。石板１の下縁部１ｆを嵌める台座８が設けてある。
【実施例１】
【０００９】
石板１は板状で正面より見て正方形である。石板１は御影石（花こう岩）で作られた全６面が本磨きされている。石板１の大きさは例えば高さ、幅が夫々２００ミリメートル、厚さが２０ミリメートルであり、総ての角は角面取りされている。石板１の材質としては、例えば花こう岩の他にはんれい岩、じゃ紋岩、粘板岩、流紋岩、安山岩、玄武岩、閃縁岩、大理石の何れか１つを選択できる。
石板１の表面１ａに設ける第一の凹部１ｂは表面１ａに平行な底面１ｇを有する。第一の凹部１ｂは石板１の正面より見て方形であって、各辺１ｂ−１，１ｂ−２，１ｂ−３，１ｂ−４夫々は石板１の各辺１−１，１−２，１−３，１−４に平行している。第一の凹部１ｂは例えば石板１の正面より見て高さ１００ミリメートル、幅８０ミリメートル、深さ３〜５ミリメートルである。第一の凹部１ｂは例えば石板１の辺１−２から第一の凹部１ｂの辺１ｂ−２までの距離３５ミリメートル、石板の辺１−１から凹部１ｂの辺１ｂ−１までの距離６０ミリメートルに位置する。
石板１の表面１ａは第二の凹部１ｃを有する。第二の凹部１ｃは第一の凹部１ｂの上方に配されている。第二の凹部１ｃは石板１の表面１ａに平行な底面１ｈを有する。第二の凹部１ｃは石板１の正面より見て横長の方形であって各辺１ｃ−１，１ｃ−２，１ｃ−３，１ｃ−４は夫々石板1の各辺１−１，１−２，１−３，１−４に平行している。第二の凹部１ｃは例えば石板１の正面より見て高さ２０ミリメートル、幅１３０ミリメートルである。第二の凹部１ｃは、例えば石板１の辺１−２から第二の凹部１ｃの辺１ｃ−２までの距離３５ミリメートル、石板１の辺１−１から第二の凹部１ｃの辺１ｃ−１までの距離２０ミリメートルに位置する。
上述のように第一の凹部１ｂの右辺１ｂ−２と、第２の凹部１ｃの右辺は１ｃ−２は上下方向の一直線上に位置する。
穴１ｅは石板１の表面１ａと裏面１ｉ間を板面に直交して貫通し、円筒形である。なお、石板１の裏面１ｉは一平面となっており、凹部を有しない。穴１ｅは石板１の正面より見て凹部１ｂの左方に設けてある。本例では石板１の左辺１−４から４６ミリメートル、同下辺１−３から７０ミリメートルの位置に穴１ｅの中心がある。
陶板２は表面に人、ペット等の記念の写真を焼付け、光触媒である酸化チタンを塗布し再度焼成してある。陶板２はその裏面を凹部１ｂの底面１ｇに固定手段で固定する（図４参照）。陶板２の裏面の底面１ｇへの固定は接着剤Ｓ１による接着による。ただし、接着に限定される訳ではなく水和反応を生じて固化するセメント等でもよく、機械的に固定することもできる。
本例の陶板２は方形で高さ９６ミリメートル、幅７６ミリメートル、厚さ３〜５ミリメートルである。陶板２を凹部１ｂに嵌め込むと凹部１ｂの各辺１ｂ−１，１ｂ−２，１ｂ−３，１ｂ−４夫々と、陶板２の各辺２−１，２−２，２−３，２−４夫々との間には等しく幅２ミリメートルの隙間ｇ１ができる。この隙間をシールする。このシールはシリコン系のシール材、ゴム等で耐候性のあるシール材Ｓ２（図４参照）を用いる。このシール材の施工により隙間ｇ１が埋まる。
ここで凹部１ｂの深さと陶板２の厚さを考えると、凹部１ｂの深さと、陶板２の厚さに陶板２の裏面と凹部１ｂの底面１ｇ間に設ける固定手段例えば接着剤Ｓ１の厚さを加えた厚さ（陶板側厚さと称するものとする）と、が等しいとすると、石板１に陶板２を固定すると石板１の表面１ａと陶板２の表面は一平面上に位置する。隙間ｇ１に施工されるシール材Ｓ２の表面はこの平面と同一面となるのがシンプルグレイブとして完成した状態において拭いて行なう清掃等の手入れの点から望ましい。凹部１ｂの深さと陶板側厚さが異なり石板１の表面１ａより陶板２の表面が外部側へ突出しても、また表面１ａよりも陶板２の表面が退いていてもその値が小さければ差支えはない。
プレート３は純チタン又はチタンパラジウム合金もしくはチタン合金製で故人又はペットの名前、日付け等を例えば彫りこみ表示する。なお、プレート３の人名、ペット名等を彫り込みによる場合は、プレート３の表面を鏡面仕上としてもよい。鏡面仕上はバフ研磨、化学研磨、電解研磨、電解複合研磨による。鏡面仕上により、付着物が着き難くなり、長期に意匠効果を持続できる。プレート３は、その裏面を凹部１ｃの底面１ｈに固定手段で固定する（図３参照）。プレート３の裏面の底面１ｈへの固定は接着剤Ｓ３による接着による。ただし、接着に限定される訳ではなく機械的固定によることもできる。接着剤Ｓ３としては石板１とプレート３の熱膨張係数差を考慮して硬化後弾性のあるものが望ましい。
本例のプレート３は方形で高さ１８ミリメートル、幅１２８ミリメートルである。プレート３を凹部１ｃに嵌め込むと、凹部１ｃの各辺１ｃ−１，１ｃ−２，１ｃ−３，１ｃ−４とプレート３の各辺３−１，３−２，３−３，３−４との間には等しく幅１ミリメートルの隙間ｇ２ができる。この隙間ｇ２をシールする。このシールはシリコン系のシール材Ｓ４等の耐候性のあるシール材を用いる。このシール材Ｓ４の施工により隙間ｇ２が埋まる。ここで用いるシール材としては硬化後弾性のあるシールが望ましい。
ここで凹部１ｃの深さと陶板２の厚さを考えると、凹部１ｃの深さとプレート３の厚さにプレート３の裏面と凹部１ｃの底面１ｈ間に設ける固定手段例えば接着剤Ｓ３の厚さを加えた厚さ（プレート側厚さと称するものとする）が等しいとすると、石板１にプレート３を固定すると石板１の表面１ａとプレート３の表面は一平面上に位置する。隙間ｇ２に施工されるシール材Ｓ４の表面はこの平面と同一面となるのがシンプルグレイブとして完成した状態において拭いて行なう清掃等の手入れの点から望ましい。凹部１ｃの深さとプレート側厚さが異なることも大差がなければ差支えはない。
全体を符号４で示す納骨筒は納骨筒本体５と、キャップ６と、気密パッキン７を有する。
納骨筒本体５は有底中空の円筒形である。納骨筒本体５の中空部５ａの外周の直径は穴１ｅにゆるく嵌合する大きさである。中空部５ａの一端の有底側には外つば５ｂを有する。外つば５ｂの内部側の平面は石板１の表面１ａに接している。外つば５ｂは底部５ｃと外部側の平面が一平面となっている。この一平面は鏡面仕上げされている。納骨筒本体５の外つば５ｂと長手方向の反対側は石板１の裏面１ｉから突出している。この突出部分の長さよりもやや長く穴１ｅにわずかに入る位置まで中空部５ａの外周にはおねじ５ｄが設けてある。
キャップ６は内周におねじ５ｄにねじ込まれるめねじを有する筒部６ａと端板６ｂを有する一体部品である。
気密パッキン７はキャップ６の筒部６ａの内周に丁度嵌合し納骨筒本体５の口部とキャップ６の端板６ｂで挟厚される寸法関係となっている。
上記において、納骨筒本体５、キャップ６は純チタン又はチタンパラジウム合金もしくはチタン合金、気密パッキン７は硬質ゴムである。
上述においてプレート３、納骨筒４をチタン又はチタンパラジウム合金もしくはチタン合金とすることにより次の効果がある。
（１）ステンレス鋼をしのぐ優れた耐食性を有する。従って、花こう岩等の耐久性と相俟って半永久的に利用できる。
チタンは酸素にふれるとたちどころに酸化する。しかし、表面に薄いチタン酸化物の皮膜ができるのみである。この皮膜は酸素や酸や塩分など腐食性の環境からチタンを守る。この皮膜のことを不動態皮膜と呼ぶ。チタンの不動態皮膜は格別に強固である。不動態皮膜がチタン表面にできると、チタンとそれを取り巻く腐食性の水溶液との間に不動態皮膜が介在する。そのため、チタンとこの水溶液との間における電位差がかなり大きくならないと電流が流れず、腐食は生じない。
具体的な耐食性は次のとおりである。
イ．  酸性雨のような環境で耐食性が大である。
ロ．  塩分に対して孔食、すき間腐食が生じ難い。海水に対しては耐食性があり海岸においても用いることができる。
ハ．  亜硫酸ガスに耐えるので大気汚染に影響されない。
（２）機械的強度が大きい。例えば純チタン（ＪＩＳ２種）引張強さ平均３６．８ｋｇｆ／ｍｍ2
（３）その他機械的性質が低炭素鋼なみで切削加工可能である。
上記において、納骨筒本体５の収納部となる部分の中空部５ａの内径は１１ミリメートル、長さ３６．５ミリメートルである。穴１ｅに嵌合する中空部５ａの外径は１５ミリメートルである。外つば５ｂ、底部５ｃの厚さは同一であり、２ミリメートルとしてある。キャップ６は筒部６ａ、端板６ｂ共に１．５ミリメートルの厚さを有する。筒部６ａの内周にはめねじがタップ加工により形成されている。
納骨筒４はその本体５を石板１の表面１ａ側から穴１ｅに嵌合して外つば５ｂが表面１ａに当るまで押し込む。次に収納部に納骨する。キャップ６の内側にパッキン７を嵌め込んだ上、キャップ６をおねじ５ｄにねじ込む。するとパッキン７は圧縮されて納骨筒４は気密となる。このとき、キャップ６は石板１の裏面１ｉに接してはいないが接近してキャップ６と裏面１ｉ間の隙間は小さいものとなっている。
なお、納骨筒４は中空部５ａ内にヘリウムガス、炭酸ガス等の不活性ガス、水分吸着剤を封入してもよい。
上述されたシンプルグレイブはそのまま立てかけて用いることができる。しかし、主たる材料が石材であるために、倒れると破損のおそれがある。また、庭に配置する際にシンプルグレイブを建てかける場所は限定される。そこで台座を用いるとよい。
台座８は直方体のブロックの上面側に溝８ａを設けたものである。溝８ａは断面角形で長手方向（図１の左右方向）に延在する。溝８ａには石板１の下辺１−３が嵌合する。ここで、溝８ａは幅２１ミリメートル、深さ２０ミリメートルである。従って、製作誤差を考慮しても、溝８ａに石板１は着脱自在である。台座８の寸法は例えば長手方向の長さが２１０ミリメートル、奥行１００ミリメートル、高さ４０ミリメートルである。溝８ａは台座８の前後方向の丁度中央に設けてある。上記台座８と石板１の寸法関係は台座８の長手方向の両端は石板１の幅方向の端の両辺１−２，１−４から夫々はみ出るようにしている。本例では、このはみ出し量は片側で５ミリメートルとなっている。台座８の見え掛かり部分は本磨きし、他は水磨きしてある。
上述のように構成してあるため、このシンプルグレイブは耐水性、耐候性にすぐれる。そこで、これを置く場所を問わない。従って、庭において追慕の碑として風雨に晒されても損壊することは殆どなく、見え掛かり部分が本磨きである石板１、台座８，陶製の陶板２、夫々純チタン又はチタンパラジウム合金もしくはチタン合金製のプレート３、納骨筒４であるため、耐久性が大きく、耐久性の点では墓碑に代ることも可能である。そして、室内に置くこともできる。従って、従来例の墓がなくても、墓に代えて供養等ができるので墓地代が不要となり墓石と比較しても格段に安価となる。そして、墓が遠隔地にある場合のように供養のために時間、交通費を多大についやすということも解消する。なお、宗教性がなくなるということとは全く関係がなく、永代供養料は必要としても、墓地を持たない寺院等でも場所をとらないため寺域又は塔屋内に配置することも可能である。そして、このシンプルグレイブは構成部材が石材、チタンであるため、追慕・供養に用いる部材として重厚さがあり荘厳な雰囲気をかもすことができる。
（実施例２）
実施例１で若干のべた石板１への陶板２、プレート３、の機械的固定方法の具体例の１つを説明する。実施例２の石板１、陶板２、プレート３の大きさは実施例１の相当部材と同じである。
図５、図６は陶板２の石板１への機械的固定方法の１つである。陶板２は多孔板９が背面に一体にインサートされている。多孔板９は陶板２よりも大きさが小さく陶板２の背面に納まる方形状である。多孔板９は孔９ａが大きく例えば直径１０ミリメートル程度の丸穴である。多孔板９の表面９ｂと陶板２の裏面は同一面となっている。多孔板９には図５、図６に示すようにその板面に直立するようにねじ部材１１が固定されている。この固定方法は溶接による。図６に示すようにねじ部材１１の位置は陶板２の各辺２−１，２−２，２−３，２−４の中間部の内部側である。
図５に示すように各ねじ部材１１は石板１の凹部１ｂの底面１ｇから裏面１ｉに向って貫通している断面円形の穴１ｊを挿通している。そして、ねじ部材１１の先端ねじ部１１ａは石板１の裏面１ｉ側に設けた円筒形の凹部１ｋ内に突出している。穴１ｊと凹部１ｋは同一中心線上にある。凹部１ｋ内においてナット１２がねじ部１１ａにねじ込まれることにより、陶板２は凹部１ｂの底面１ｇへ引き寄せられて石板１に固定される。凹部１ｋにはキャップ１３が圧入されている。
ここで、多孔板９、ねじ部材１１、ナット１２、キャップ１３は純チタン又はチタンパラジウム合金もしくはチタン合金製である。
このように陶板２が石板１に固定してあるため、キャップ１３を取り外してナット１２を弛め戻して取り外して、ねじ部材１１の先端部を押すと、陶板２は多孔板９、ねじ部材１１と共に石板１から取り外すことができる。陶板２の石板１への取り付け方法は取り外し方法と逆の手順である。
この実施例によれば、陶板２の交換も石板１を損傷することなく可能となる。
図７はプレート３の石板１への機械的固定方法の一例を示す。プレート３の裏面３ｂにはプレート３の板面に直立してねじ部材１４が溶接によって固定されている。なお、この溶接は表面３ａに故人又はペットの名前、没年月日を設ける前に行う。ねじ部材１４は石板１の凹部１ｃの底面１ｈから裏面１ｉに向って貫通している穴１ｍを挿通している。そしてねじ部材１４の先端ねじ部１４ａは石板１の裏面１ｉ側に設けた円筒形の凹部１ｎに突出している。凹部１ｎ内においてナット１５がねじ部１４ａにねじ込まれることにより、プレート３は凹部１ｃの底面１ｈへ引き寄せられて石板１に固定される。凹部１ｋにはキャップ１６が圧入されている。
ここで、プレート３、ねじ部材１４、ナット１５、キャップ１６は純チタン又はチタンパラジウム合金もしくはチタン合金製である。
このように陶板２が石板１に固定してあるため、キャップ１６を取り外してナット１５を弛め戻して取り外し、ねじ部材１４の先端部を押すとプレート３はねじ部材１４と共に石板１から取り外すことができる。陶板２の石板１への取り付け方法は取り外し方法と逆の手順である。
実施例は石板の形状を正方形としたが正方形に限られる訳ではなく、矩形であってもよい。更に、石板を置く際を考慮すれば下辺が設置部に載置可能であれば他の三辺の形状は円形等を選択可能である。また、石板の下辺は台座への着脱可能である必要がある。
【産業上の利用可能性】
【００１０】
上述のような実施例の構成からして、製作は墓石の製造技術、陶板の製造技術、銘板の製造技術、チタン加工技術により製作可能である。また、これを流通させるのに障害となる点も見当たらない。可搬性があるので一般人も、寺院においても利用可能である。
【図面の簡単な説明】
【００１１】
【図１】実施例の正面図である。
【図２】図１の側面図である。
【図３】図１のＡ−Ａ断面図である。
【図４】図１のＢ−Ｂ断面図である。
【図５】陶板固定方法の他の実施例の縦断面図である。
【図６】多孔板を示す斜視図である。
【図７】プレート固定方法の他の実施例の縦断面図である。
【符号の説明】
【００１２】
Ｓ１，Ｓ３…接着剤  Ｓ２，Ｓ４…シール材  ｇ１，ｇ２…隙間
１…石板  １−１，１−２，１−３，１−４…辺  １ａ…表面  １ｂ…第一の凹部  １ｂ−１，１ｂ−２，１ｂ−３，１ｂ−４…辺  １ｃ…第二の凹部  １ｃ−１，１ｃ−２，１ｃ−３，１ｃ−４…辺  １ｅ…穴  １ｆ…下縁部  １ｇ…底面  １ｉ…裏面  １ｈ…底面  １ｊ…穴  １ｋ…凹部  １ｍ…穴  １ｎ…凹部
２…陶板  ２−１，２−２，２−３，２−４…辺
３…プレート  ３−１，３−２，３−３，３−４…辺  ３ａ…表面  ３ｂ…裏面
４…納骨筒
５…納骨筒本体  ５ａ…中空部  ５ｂ…外つば  ５ｃ…底部  ５ｄ…おねじ
６…キャップ  ６ａ…筒部  ６ｂ…端板
７…気密パッキン
８…台座  ８ａ…溝  
９…多孔板  ９ａ…孔
１１…ねじ部材  １１ａ…先端ねじ部
１２…ナット
１３…キャップ
１４…ねじ部材  １４ａ…先端ねじ部
１５…ナット
１６…キャップ
【図１】
2006346335.tif 000003
【図２】
2006346335.tif 000004
【図３】
2006346335.tif 000005
【図４】
2006346335.tif 000006
【図５】
2006346335.tif 000007
【図６】
2006346335.tif 000008
【図７】
2006346335.tif 000009
【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
石材製の板材であって、表面に固定された耐候性の故人又はペットの写真又は肖像と、板材の表裏間を貫通する穴と、を有する板材と、この穴に挿入固定された純チタン又はチタンパラジウム合金もしくはチタン合金製の気密とされた遺骨収納箱と、を有し、屋内屋外を問わず配置され得るシンプルグレイブにおいて、
前記穴は円筒形であって、前記遺骨収納箱は前記穴に嵌合する有底中空円筒部と中空円筒部の一端である有底側端部に設けられた中空円筒部の外周よりも大径の外つばと中空円筒部の他端側外周に設けられたねじ部とを有する本体と、前記ねじ部にねじ込まれるキャップと、キャップ内に収納されキャップと前記中空円筒部の他端の間に挿入された気密パッキンと、を有し、中空円筒部の他端が板材の裏面に突出し、キャップを締め込むことによりパッキンが圧縮され、キャップが板材の裏面に接近してなるシンプルグレイブ。
【請求項２】
板材は下辺を有し、板材下辺を着脱可能に嵌合する溝を上面側に設けた台座を有することを特徴とする請求項１に記載のシンプルグレイブ。
【手続補正２】
【補正対象書類名】明細書
【補正対象項目名】０００４
【補正方法】変更
【補正の内容】
【０００４】
本出願に係る第１の発明は石材製の板材であって、表面に固定された耐候性の故人又はペットの写真又は肖像と、板材の表裏間を貫通する穴と、を有する板材と、この穴に挿入固定された純チタン又はチタンパラジウム合金もしくはチタン合金製の気密とされた遺骨収納箱と、を有し、屋内屋外を問わず配置され得るシンプルグレイブにおいて、
前記穴は円筒形であって、前記遺骨収納箱は前記穴に嵌合する有底中空円筒部と中空円筒部の一端である有底側端部に設けられた中空円筒部の外周よりも大径の外つばと中空円筒部の他端側外周に設けられたねじ部とを有する本体と、前記ねじ部にねじ込まれるキャップと、キャップ内に収納されキャップと前記中空円筒部の他端の間に挿入された気密パッキンと、を有し、中空円筒部の他端が板材の裏面に突出し、キャップを締め込むことによりパッキンが圧縮され、キャップが板材の裏面に接近してなるシンプルグレイブである。
【手続補正３】
【補正対象書類名】明細書
【補正対象項目名】０００５
【補正方法】変更
【補正の内容】
【０００５】
本出願に係る第２の発明は板材は下辺を有し、板材下辺を着脱可能に嵌合する溝を上面側に設けた台座を有することを特徴とする第１の発明に記載のシンプルグレイブである。
【手続補正４】
【補正対象書類名】明細書
【補正対象項目名】０００６
【補正方法】削除
【補正の内容】